(57)【特許請求の範囲】
【請求項１】
画像を表示するとともに、表示されている画像に重ねてポインタ画像を表示する表示面を有する表示部と、
前記表示面における前記ポインタ画像の表示位置を検出する検出手段と、
平面上に複数の発光素子が配置され、前記表示面に背面から光を照射するバックライト装置と、
前記発光素子の輝度を部分的に制御するバックライト制御手段であって、検出手段が検出したポインタ画像の表示位置およびその周辺位置を含むポインタ存在領域に対応する位置にある発光素子の輝度を、当該発光素子以外の発光素子の輝度よりも高くするバックライト制御手段と、
前記ポインタ画像のテンプレートとなるテンプレート画像を記憶する記憶手段とを含み、
前記検出手段は、表示面に表示されている画像と、予め記憶されたテンプレート画像とを比較して、前記表示面におけるポインタ画像の表示位置を検出することを特徴とする表示装置。
【請求項２】
前記ポインタ存在領域の輪郭を強調するエッジ強調処理を行う強調処理手段をさらに含むことを特徴とする請求項１に記載の表示装置。
【発明の詳細な説明】
【技術分野】
【０００１】
本発明は、表示装置に関する。
【背景技術】
【０００２】
ＬＣＤ（Liquid  Crystal  Display）やＰＤＰ（Plasma  Display  Panel）などの薄型ディスプレイ（表示面）に表示されている画像において、ポインタ画像を視認しやすくするために、ポインタ画像を強調して表示する技術が、特許文献１〜４に開示されている。
【０００３】
特許文献１には、スクリーンに投射された画像上の特定位置をレーザポインタで指し示した際に、その照射位置の周辺領域の表示状態を変化させるプロジェクターが開示されている。
【０００４】
特許文献２には、ユーザが、マウスを素早く動かす動作を行うことで、表示面に表示されている画像において、ポインタ画像と背景との輝度差を大きくする処理を行うカーソル表示制御装置が開示されている。
【０００５】
特許文献３には、一定時間以上にわたってマウス操作がない状態が検出された後にマウス操作を行うとき、カーソル画像の輝度を相対的に大きくして表示面に表示するカーソル表示方法が記載されている。
【０００６】
特許文献４には、ボタンやキーボードを操作することなく、マウスなどのポインティング装置による移動操作を行うことによって、カーソル画像を表示面に強調して表示する画像処理装置が開示されている。
【先行技術文献】
【特許文献】
【０００７】
【特許文献１】特開２０１１−９０４３２号公報
【特許文献２】特開平１０−２０７４４１号公報
【特許文献３】特開平６−３２４８０２号公報
【特許文献４】特開平６−３０１７５９号公報
【発明の概要】
【発明が解決しようとする課題】
【０００８】
特許文献１〜４では、表示面に表示されている画像の輝度を全体的に下げたうえで、ポインタ（カーソル）画像の輝度を向上させて、ポインタ画像を強調して表示させている。そのため、画像のダイナミックレンジが狭まり、画像の明暗部分のコントラスト比が小さくなるので、高画質な画像を表示できないという問題がある。
【０００９】
本発明の目的は、表示面に表示されている画像に重ねて表示されているポインタ画像を、画像の明暗部分のコントラスト比が高い状態で、強調して表示させることができる表示装置を提供することである。
【課題を解決するための手段】
【００１０】
本発明は、画像を表示するとともに、表示されている画像に重ねてポインタ画像を表示する表示面を有する表示部と、
前記表示面における前記ポインタ画像の表示位置を検出する検出手段と、
平面上に複数の発光素子が配置され、前記表示面に背面から光を照射するバックライト装置と、
前記発光素子の輝度を部分的に制御するバックライト制御手段であって、検出手段が検出したポインタ画像の表示位置およびその周辺位置を含むポインタ存在領域に対応する位置にある発光素子の輝度を、当該発光素子以外の発光素子の輝度よりも高くするバックライト制御手段と、
前記ポインタ画像のテンプレートとなるテンプレート画像を記憶する記憶手段とを含み、
前記検出手段は、表示面に表示されている画像と、予め記憶されたテンプレート画像とを比較して、前記表示面におけるポインタ画像の表示位置を検出することを特徴とする表示装置である。
【００１２】
また本発明は、前記ポインタ存在領域の輪郭を強調するエッジ強調処理を行う強調処理手段をさらに含むことを特徴とする。
【発明の効果】
【００１４】
本発明によれば、表示装置は、表示部と、検出手段と、バックライト装置と、バックライト制御手段とを含む。
【００１５】
表示部は、画像を表示するとともに、表示されている画像に重ねてポインタ画像を表示する表示面を有する。検出手段は、表示面におけるポインタ画像の表示位置を検出する。バックライト装置は、平面上に複数の発光素子が配置され、表示面に背面から光を照射する。バックライト制御手段は、発光素子の輝度を部分的に制御する。具体的には、バックライト制御手段は、検出手段が検出したポインタ画像の表示位置およびその周辺位置を含むポインタ存在領域に対応する位置にある発光素子の輝度を、当該発光素子以外の発光素子の輝度よりも高くする。
【００１６】
ポインタ存在領域に対応する位置にある発光素子の輝度を、当該発光素子以外の発光素子の輝度よりも高くすることによって、表示面におけるポインタ存在領域の輝度が相対的に高くなるので、ポインタ画像を強調して表示させることができる。このとき、表示面に表示されている画像の輝度は変化させる必要がないので、表示面に表示されている画像に重ねて表示されているポインタ画像を、画像の明暗部分のコントラスト比が高い状態で、強調して表示させることができる。
【００１７】
前記表示装置は、ポインタ画像のテンプレートとなるテンプレート画像を記憶する記憶手段を含む。検出手段は、表示面に表示されている画像と、予め記憶されたテンプレート画像とを比較して、前記表示面におけるポインタ画像の表示位置を検出する。これによって、表示面におけるポインタ画像の表示位置を正確に検出することができる。
【００１９】
また本発明によれば、表示装置は、表示部と、入力手段と、バックライト装置と、バックライト制御手段とを含む。
【００２０】
表示部は、画像を表示するとともに、表示されている画像に重ねてポインタ画像を表示する表示面を有する。入力手段は、表示面におけるポインタ画像の表示位置を入力する。バックライト装置は、平面上に複数の発光素子が配置され、表示面に背面から光を照射する。バックライト制御手段は、発光素子の輝度を部分的に制御する。具体的には、バックライト制御手段は、検出手段が検出したポインタ画像の表示位置およびその周辺位置を含むポインタ存在領域に対応する位置にある発光素子の輝度を、当該発光素子以外の発光素子の輝度よりも高くする。
【００２１】
ポインタ存在領域に対応する位置にある発光素子の輝度を、当該発光素子以外の発光素子の輝度よりも高くすることによって、表示面におけるポインタ存在領域の輝度が相対的に高くなるので、ポインタ画像を強調して表示させることができる。このとき、表示面に表示されている画像の輝度は変化させる必要がないので、表示面に表示されている画像に重ねて表示されているポインタ画像を、画像の明暗部分のコントラスト比が高い状態で、強調して表示させることができる。
【図面の簡単な説明】
【００２２】
【図１】表示装置１００およびＰＣ５０の構成を示すブロック図である。
【図２】ポインタ登録処理の手順を示すフローチャートである。
【図３】ポインタ画像１１を含む画像が表示された表示面７ａを示す図である。
【図４】ポインタ登録用矩形枠１２が表示された表示面７ａを示す図である。
【図５】テンプレート化処理の手順を示すフローチャートである。
【図６】表示処理の手順を示すフローチャートである。
【図７Ａ】（ａ），（ｂ）ポインタ強調モードの具体例を示す図である。
【図７Ｂ】（ｃ），（ｄ）ポインタ強調モードの具体例を示す図である。
【図８】映像信号が表示制御部５から出力された表示面７ａを示す図である。
【図９】第１ポインタ探索処理の手順を示すフローチャートである。
【図１０】第１ポインタ探索処理のイメージを示す図である。
【図１１】目標輝度マップの生成の手順を示すフローチャートである。
【図１２】ポインタ強調処理が行われているバックライト装置８を、その厚さ方向からみた図である。
【図１３】ポインタ強調処理が行われている表示面７ａを示す図である。
【図１４】第２ポインタ探索処理の手順を示すフローチャートである。
【図１５】加算するスコア値を求めるためのスコア加算グラフを示す図である。
【発明を実施するための形態】
【００２３】
本発明の実施の一形態である表示装置１００は、画像情報を出力することによって、画像を表示面に表示する装置である。表示面は、液晶素子を有する透過型の液晶パネルによって形成され、液晶パネルは、平板状の形状に形成される。液晶パネルにおいて、厚み方向の２つの向きを前面側および背面側とし、表示装置は、画像を、前面から見て視認可能に表示する。表示装置１００には、パーソナルコンピュータ（ＰＣ）から映像信号が入力され、入力された映像信号に基づく画像が表示される。表示される画像は、ＰＣのアプリケーションソフトウエアなどで作成された写真画像、グラフ画像などである。
【００２４】
このような画像には、ポインタ画像を重ねて表示することができる。本実施形態の表示装置１００では、ポインタ画像を強調して表示面に表示させるポインタ強調処理を行うことができる。
【００２５】
＜表示装置＞
本実施形態の表示装置１００について説明する。図１は、表示装置１００およびＰＣ５０の構成を示すブロック図である。
【００２６】
表示装置１００は、映像信号入力部１と、映像信号加工部２と、映像信号解析部３と、マップ生成部４と、表示制御部５と、バックライト制御部６と、表示部７と、バックライト装置８と、記憶部９とを含む。
【００２７】
映像信号入力部１は、ＰＣ５０から入力された映像信号を受信する。
映像信号加工部２は、後述するポインタ登録処理において、入力された映像信号が示すポインタ画像と、マウスポインタ登録用矩形枠表示画像とを重ね合わせる。
【００２８】
検出手段である映像信号解析部３は、入力された映像信号を解析する。具体的には、入力信号解像度情報を用いて、後述するテンプレート画像情報のスケーリングを行う。また、記憶部９からテンプレート画像情報を取得し、後述するポインタ探索処理を行って、表示面７ａにおけるポインタ画像の表示位置を検出する。
【００２９】
マップ生成部４は、映像信号解析部３で検出された、表示面７ａにおけるポインタ画像の表示位置に基づいて、バックライト装置８の発光素子の輝度を調整するための目標輝度マップを生成する。目標輝度マップは、後述するエッジ強調処理にも用いられる。
【００３０】
表示部７は、表示面７ａを含む。本実施形態では、表示面７ａは液晶パネルである。表示面７ａは、バックライト装置８が備えるバックライトシャーシの底部と平行に設けられる。表示面７ａは、２枚の基板を含み、厚み方向に見て長方形の板状に形成される。
【００３１】
表示面７ａは、ＴＦＴ（ｔｈｉｎ  ｆｉｌｍ  ｔｒａｎｓｉｓｔｏｒ）などのスイッチング素子を含み、２枚の基板の隙間には液晶が注入されている。表示面７ａは、背面側に配置されるバックライト装置８の発光素子から出射される光がバックライトとして照射されることによって、表示機能を発揮する。前記２枚の基板には、表示面７ａにおける画素の駆動制御用のドライバー（ソースドライバ）、種々の素子および配線が設けられている。
【００３２】
表示制御部５は、表示部７の表示面７ａに画像を表示させる。また、この画像に重ねて、ポインタ画像を表示させる。表示制御部５は、強調処理手段である映像加工部５ａを含み、映像加工部５ａは、マップ生成部４で生成した目標輝度マップに基づいて、後述するエッジ強調処理を行う。
【００３３】
バックライト装置８は、表示面７ａに背面から光を照射する装置である。バックライト装置８のバックライトシャーシには、複数の発光素子が格子状に配置されている。すなわち、バックライト装置８には、表示面７ａに平行な平面上に複数の発光素子が配置されている。
【００３４】
バックライト制御手段であるバックライト制御部６は、バックライト装置８に配置された複数の発光素子の点灯および消灯を制御するとともに、複数の発光素子の輝度を制御する。バックライトシャーシは、表示面７ａと対向する主面が複数の領域に区画されており、この領域内にそれぞれ発光素子が１または複数個配置されている。
【００３５】
また、バックライト制御部６は、ローカルディミング制御部６ａを含み、ローカルディミング制御部６ａは、目標輝度マップに基づいて、領域毎に、発光素子の点灯および消灯を制御し、領域毎に発光素子の輝度を制御する。バックライト制御部６は、いわゆる、バックライト装置８のローカルディミング制御を行う。
【００３６】
記憶手段である記憶部９は、後述するテンプレート画像の画像情報および入力解像度、後述する強調モードの種類に関する情報などを記憶する。
【００３７】
ポインティングデバイス５１は、マウス、タッチパネル、タブレットなどの装置であり、ＰＣ５０を介して、表示面７ａにおいて、ポインタ画像を移動させる。
【００３８】
ＰＣ５０は、ポインティングデバイス５１からの入力を受信し、映像信号を、表示装置１００の映像信号入力部１に出力する。
【００３９】
＜ポインタ登録処理＞
表示装置１００を用いてポインタ強調処理を行うためには、まず、ポインタ登録処理を行う必要がある。
【００４０】
図２は、ポインタ登録処理の手順を示すフローチャートである。図３は、ポインタ画像１１を含む画像が表示された表示面７ａを示す図である。図４は、ポインタ登録用矩形枠１２が表示された表示面７ａを示す図である。
【００４１】
ポインタ登録処理は、ＰＣ５０が起動され、ポインタ画像情報を含む映像信号が、映像信号入力部１を介して表示装置１００に入力されて、表示面７ａに、図３に示すようなポインタ画像１１が重ねて表示された画像が表示されると開始される。
【００４２】
ステップＳ１では、映像信号加工部２が、リモコン１０からポインタ登録準備指示が入力されたか否か判断する。ポインタ登録準備指示が入力された場合には、ステップＳ２に進む。入力されていない場合には、ステップＳ１に戻る。
【００４３】
ステップＳ２では、映像信号加工部２が、図４に示すような正方形のポインタ登録用矩形枠１２を表示面７ａに表示する。
【００４４】
ステップＳ３では、映像信号加工部２が、ポインタ登録指示があるか否か判断する。ポインタ登録指示は、表示面７ａに表示されているポインタ登録用矩形枠１２内にポインタ画像１１が収まるよう、ユーザがポインティングデバイス５１を操作し、図４に示すように、ポインタ登録用矩形枠１２内にポインタ画像１１を収めた後、リモコン１０から映像信号加工部２に送信される。ポインタ登録指示があれば、ステップＳ４に進む。ポインタ登録指示がなければ、ステップＳ３に戻る。
【００４５】
ステップＳ４では、テンプレート化処理を行う。テンプレート化処理は、図５を用いて詳しく説明する。図５は、テンプレート化処理の手順を示すフローチャートである。
【００４６】
ステップＳ４ａでは、映像信号加工部２が、ポインタ画像１１の輪郭強調処理を行う。
ステップＳ４ｂでは、映像信号加工部２が、ポインタ登録用矩形枠１２内における、ポインタ画像１１の外側にある連続する白部分を消去する。
【００４７】
ステップＳ４ｃでは、映像信号加工部２が、ポインタ画像１１を含むポインタ登録用矩形枠１２内の画像を２値化処理する。
【００４８】
ステップＳ４ｄでは、映像信号加工部２が、２値化処理されたポインタ登録用矩形枠１２内の画像を、テンプレート画像とし、テンプレート画像情報として記憶部９に記憶する。これによって、テンプレート化処理の終了となり、図２のステップＳ５に進む。
【００４９】
ステップＳ５では、映像信号加工部２が、テンプレート画像情報と、そのテンプレート画像情報の入力信号解像度情報とを登録し、登録されたテンプレート画像情報と入力信号解像度情報とを、記憶部９のポインタデータベースに記憶する。これによって、ポインタ登録処理の終了となる。なお、一旦登録されたテンプレート画像は、たとえばＰＣ５０の電源をＯＦＦしても削除されず、削除の処理を行うまで削除されない。
【００５０】
＜表示処理＞
表示処理は、ポインタ登録処理で登録されたテンプレート画像を用いて行われる。この表示処理の中で、ポインタ強調処理が行われる。
【００５１】
図６は、表示処理の手順を示すフローチャートである。
表示処理は、ポインタ登録処理が終了した直後、またはポインタ登録処理が行われた後に、ＰＣ５０が起動されると開始される。
【００５２】
ステップＳ１１では、映像信号解析部３が、ポインタ強調モードが有効か否か判断する。ポインタ強調モードは、ユーザによって有効にされる。ポインタ強調モードを有効にする際、ユーザは、「ノーマル」、「水平」、「垂直」、「クロス」の中から、ポインタ強調モードの種類を１つ選択する。
【００５３】
図７Ａおよび図７Ｂは、ポインタ強調モードの具体例を示す図である。図７Ａ（ａ）は、ポインタ強調モードの「ノーマル」を示す図である。図７Ａ（ｂ）は、ポインタ強調モードの「水平」を示す図である。図７Ｂ（ｃ）は、ポインタ強調モードの「垂直」を示す図である。図７Ｂ（ｄ）は、ポインタ強調モードの「クロス」を示す図である。表示面７ａにおける、ポインタ画像１１の表示位置およびその周囲位置からなるポインタ存在領域１３が、強調して表示される領域であり、図７Ａおよび図７Ｂでは、白地で示す。また、ポインタ存在領域以外の領域である非存在領域１４は、斜線を引いて示す。ポインタ存在領域１３の輝度は、非存在領域１４の輝度よりも相対的に高く、これによって、ポインタ存在領域１３が強調して表示される。
【００５４】
図７Ａおよび図７Ｂに示すような画像が表示面７ａに表示され、ユーザが、ポインティングデバイス５１などを用いて選択することで、ポインタ強調モードが有効になる。ここで選択されたポインタ強調モードの種類に関する情報は、記憶部９に記憶される。なお、ポインタ強調モードの種類は、表示処理を始めるたびに選択されてもよく、または、一旦選択されると、変更されない限り、次回の表示処理以降も保持されてもよい。保持される場合、次回の表示処理では、ポインタ強調モードを有効にする処理のみが本ステップで行われる。
【００５５】
ステップＳ１２では、映像信号解析部３が、映像信号が入力されたか否か判断する。映像信号は、映像信号入力部１を介して、ＰＣ５０から入力される。図８は、映像信号が表示制御部５から出力された表示面７ａを示す図である。映像信号が入力されていれば、ステップＳ１３に進み、映像信号が入力されていなければ、ステップＳ１２に戻る。映像信号が入力されれば、表示面７ａには、入力された映像信号が表示制御部５から出力されて、図８に示す画像が表示されている。
【００５６】
ステップＳ１３では、映像信号解析部３が、入力された映像信号を判別する。具体的には、入力された映像信号の解像度の水平ライン数および垂直ライン数を取得する。
【００５７】
ステップＳ１４では、映像信号解析部３が、記憶部９からテンプレート画像情報を取得し、入力された映像信号の解像度の水平ライン数および垂直ライン数に応じて、テンプレート画像情報のテンプレート画像をスケーリングする。
【００５８】
ステップＳ１５では、第１ポインタ探索処理を行う。第１ポインタ探索処理は、図９を用いて詳しく説明する。図９は、第１ポインタ探索処理の手順を示すフローチャートである。図１０は、第１ポインタ探索処理のイメージを示す図である。
【００５９】
ステップＳ１５ａでは、映像信号解析部３が、表示面７ａに表示されている画像から、比較対象画像を切り出す。比較対象画像を切り出すために、まず、映像信号解析部３が、検索座標（ｘ，ｙ）を決定する。今回は、表示面７ａの最も左上の座標位置（１，１）が検索座標となる。
【００６０】
なお、表示面７ａにおいて、ｘ軸方向の画素数がｎ個であり、ｙ軸方向の画素数がｍ個である場合、座標位置（１，１）の右隣の座標位置を（２，１）で表し、ｘ軸方向に１つずれるにつれて、座標位置を順に（３，１）、（４，１）・・・（ｎ−１，１）、（ｎ，１）と表す。また、座標位置（１，１）の下隣の座標位置を（１，２）と表し、ｙ軸方向に１つずれるにつれて、座標位置を順に（１，３）、（１，４）・・・（１，ｍ−１）、（１，ｍ）と表す。
【００６１】
テンプレート画像のｘ軸方向の長さをＷｔ、ｙ軸方向の長さをＨｔとすると、検索位置（ｘ，ｙ）と、座標位置（ｘ＋Ｗｔ，ｙ＋Ｈｔ）とを結ぶ線分を対角線とする正方形の範囲内にある画像が、比較対象画像となる。
【００６２】
ステップＳ１５ｂでは、映像信号解析部３が、比較対象画像を２値化処理する。
ステップＳ１５ｃでは、映像信号解析部３が、表示制御部５を介してテンプレート画像を比較表示画面に重ね合わせ、比較対象画像とテンプレート画像とを１ドットずつ比較する。
【００６３】
ステップＳ１５ｄでは、映像信号解析部３が、テンプレート画像と比較対象画像とで、一致するドットの数Ｃ（ドット数Ｃ）を検出する。
【００６４】
ステップＳ１５ｅでは、映像信号解析部３が、ドット数Ｃが閾値以上か否か判断する。ドット数Ｃが閾値以上であれば、ステップＳ１５ｆに進む。ドット数Ｃが閾値以上でなければ、ステップＳ１５ｇに進む。ドット数Ｃが大きいほど、テンプレート画像と比較対象画像とが似ていることを示し、ドット数Ｃが大きいほど、比較対象画像内にポインタ画像１１が存在する可能性が高くなる。
【００６５】
ステップＳ１５ｆでは、映像信号解析部３が、ドット数Ｃをスコア値として記憶部９に記憶する。また、そのときの検索座標も記憶部９に記憶する。このスコア値よりも高いスコア値が検出された場合には、その新しいスコア値を、古いスコア値に代わって記憶するとともに、その新しいスコア値が検出された検索座標を記憶部９に記憶する。
【００６６】
ステップＳ１５ｇでは、ｘ座標値およびｙ座標値が最大（ｎ，ｍ）であるか否か判断する。ｘ座標値およびｙ座標値が最大であれば、第１ポインタ探索処理の終了となる。この時点では、図１０において矢印で示す順番で、表示面７ａ全体にポインタの検索が行われており、その結果、図１０に示す表示位置にポインタ画像１１が表示されていることが検出される。
【００６７】
このように、表示面７ａに表示されているポインタ画像１１と、予め記憶されたテンプレート画像とを比較して、表示面７ａにおけるポインタ画像１１の表示位置を検出することによって、表示面７ａにおけるポインタ画像１１の表示位置を正確に検出することができる。ｘ座標値およびｙ座標値が最大でなければ、ステップＳ１５ｈに進む。
【００６８】
ステップＳ１５ｈでは、ｘ座標値が最大（ｎ）であるか否か判断する。ｘ座標値が最大であれば、ステップＳ１５ｉに進む。ｘ座標値が最大でなければ、ステップＳ１５ｊに進む。
【００６９】
ステップＳ１５ｉでは、検索座標を、ｘ座標値が１であり、ｙ座標値が１大きい座標位置に変更する。その後、ステップＳ１５ａに戻り、変更した検索座標で、前述と同様の処理を行う。
【００７０】
ステップＳ１５ｊでは、検索座標を、ｘ座標値が１つ大きい座標位置に変更する。その後、ステップＳ１５ａに戻り、変更した検索座標で、前述と同様の処理を行う。
【００７１】
本実施形態では、検索座標を、１画素ずつ移動させたが、テンプレート画像の長さ分だけ移動させてもよい。検索座標を１画素ずつ移動させると、テンプレート画像の長さ分だけ移動させる場合よりも計算量が多くなるが、より正確にポインタ画像の表示位置を検出することができる。なお、計算量が多くなるといっても、並列計算をすることによって、ポインタ探索処理を充分に短い時間で行うことができる。
【００７２】
第１ポインタ探索処理が終了すると、図６に示すステップＳ１６に進む。
ステップＳ１６では、映像信号解析部３が、表示面７ａに表示されているポインタ画像１１において、その中心の座標位置であるポインタ中心座標Ｐを求める。
【００７３】
ポインタ中心座標Ｐを求めるため、映像信号解析部３は、まず、記憶部９に記憶されているスコア値および検索座標（ａ１，ｂ１）を取得する。このスコア値および検索座標は、第１探索処理で検出したスコア値のうち、最も値の大きいスコア値であり、この検索座標に対応する比較対象画像に、ポインタ画像１１が含まれる可能性が最も高い。
【００７４】
その後、映像信号解析部３は、テンプレート画像（Ｗｔ，Ｈｔ）の大きさから、ポインタ中心座標Ｐ（ａ１＋Ｗｔ／２，ｂ１＋Ｈｔ／２）を算出する。
【００７５】
ステップＳ１７では、ポインタ中心座標Ｐを用いて、マップ生成部４が、目標輝度マップを生成する。目標輝度マップの生成手順については、図１１を用いて詳しく説明する。図１１は、目標輝度マップの生成の手順を示すフローチャートである。
【００７６】
ステップＳ１７ａでは、マップ生成部４が、記憶部９からポインタ強調モードの種類に関する情報を取得し、ポインタ強調モードの種類に応じて、目標輝度マップ生成のための数式を決定する。
【００７７】
ポインタ中心座標Ｐを（ｘ０，ｙ０）とすると、ポインタ強調モードの種類が「ノーマル」の場合、数式は下記式（１）となり、ポインタ強調モードの種類が「水平」の場合、数式は下記式（２）となり、ポインタ強調モードの種類が「垂直」の場合、数式は下記式（３）となり、ポインタ強調モードの種類が「クロス」の場合、数式は下記式（４）となる。
ｍａｐ（ｘ，ｙ）＝ｅｘｐ（−（ｘ−ｘ０）４）・ｅｘｐ（−（ｙ−ｙ０）４）
…（１）
ｍａｐ（ｘ，ｙ）＝ｅｘｐ（−（ｘ−ｘ０）４）                      …（２）
ｍａｐ（ｘ，ｙ）＝ｅｘｐ（−（ｙ−ｙ０）４）                      …（３）
ｍａｐ（ｘ，ｙ）＝ｅｘｐ（−（ｘ−ｘ０）４）＋ｅｘｐ（−（ｙ−ｙ０）４）
…（４）
【００７８】
マップ生成部４は、この数式に基づいて、目標輝度マップを生成する。具体的には、ｍａｐ（ｘ，ｙ）値をノーマライズし、全てのｘ座標、ｙ座標におけるｍａｐ（ｘ，ｙ）値のうち、最大値となる座標位置の輝度を最大、最小値となる座標位置の輝度を最小として、ｍａｐ（ｘ，ｙ）値が大きいほど、その座標位置の輝度が大きくなるような目標輝度マップを生成する。
【００７９】
目標輝度マップでは、表示面７ａにおけるポインタ画像１１の表示位置およびその周辺位置を含むポインタ存在領域１３、すなわち、ポインタ中心座標Ｐおよびその周辺の座標位置からなるポインタ存在領域１３の輝度が、非存在領域１４の輝度よりも高くすることが示されている。目標輝度マップにおいて、ポインタ存在領域１３など、輝度が相対的に高くなるように示される領域を、強調領域という。
【００８０】
ステップＳ１７ｂでは、マップ生成部４が、現在の強調領域以外に保持中の強調領域があるか否か判断する。強調領域は、後述するステップＳ２６での条件によって、ステップＳ２７で保持される。保持中の強調領域があれば、ステップＳ１７ｃに進む。保持中の強調領域がなければ、目標輝度マップ生成処理は終了となり、図６に示すステップＳ１８に進む。
【００８１】
ステップＳ１７ｃでは、マップ生成部４が、保持中の強調領域を、目標輝度マップに追加する。これによって、輝度の高い領域が複数存在する目標輝度マップとなり、たとえば、保持中の強調領域が１つ存在する場合、輝度が高い領域が２つ存在するような目標輝度マップとなる。
【００８２】
ステップＳ１８では、バックライト制御部６が、目標輝度マップに基づいて、バックライト装置８の複数の発光素子の発光量を領域毎に調整して、発光素子の輝度を領域毎に制御し、ポインタ強調処理を行う。なお、発光素子間の領域については、表示面において、コントラストを穏やかに変化させる。図１２は、ポインタ強調処理が行われているバックライト装置８を、その厚さ方向からみた図である。図１３は、ポインタ強調処理が行われている表示面７ａを示す図である。本実施形態では、複数の発光素子は、複数の領域毎に調整しているが、複数の発光素子毎に個別に調整してもよい。
【００８３】
この結果、バックライト装置８は、図１２に示す状態となり、表示面７ａは、図１３に示す状態となる。
【００８４】
図１２に示すように、バックライト装置８では、ポインタ存在領域１３に対応する位置にある発光素子の輝度が、当該発光素子以外の発光素子の輝度よりも高くなっている。また、バックライト装置８が図１２に示すように点灯または消灯していることによって、図１３に示すように、表示面７ａにおいて、ポインタ存在領域１３の輝度が、非存在領域１４の輝度よりも高くなるので、ポインタ画像１１を強調して表示することができる。
【００８５】
このとき、表示面７ａに表示されている画像の輝度は変化させる必要がないので、表示面７ａに表示されている画像に重ねて表示されているポインタ画像１１を、画像の明暗部分のコントラスト比が高い状態で、強調して表示させることができる。
【００８６】
ステップＳ１９で、一定時間経過した後、ステップＳ２０で、第２ポインタ探索処理を行う。第２ポインタ探索処理は、図１４を用いて詳しく説明する。図１４は、第２ポインタ探索処理の手順を示すフローチャートである。
【００８７】
ステップＳ２０ａでは、表示面７ａに表示されている映像から、比較対象画像を切り出す。比較対象画像を切り出すために、まず、映像信号解析部３が、検索座標（ｘ，ｙ）を決定する。今回は、表示面７ａの最も左上の座標位置（１，１）が検索座標となる。
【００８８】
ステップＳ２０ｂでは、映像信号解析部３が、比較対象画像を２値化処理する。
ステップＳ２０ｃでは、映像信号解析部３が、表示制御部５を介してテンプレート画像を比較表示画面に重ね合わせ、比較対象画像とテンプレート画像とを１ドットずつ比較する。
【００８９】
ステップＳ２０ｄでは、映像信号解析部３が、テンプレート画像と比較対象画像とで、一致するドット数Ｃを算出する。
【００９０】
図１５は、加算するスコア値を求めるためのスコア加算グラフを示す図である。
ステップＳ２０ｅでは、図１５に示すようなスコア加算グラフデータを用いて、現在の検索座標と、前回のポインタ探索処理で最も高いスコア値が検出された検索座標との距離に応じて、ステップＳ２０ｄで算出したドット数Ｃにスコアを加算する。
【００９１】
図１５のグラフでは、（０，０）の座標位置は色が濃く、この座標位置以外の領域では、座標位置に近づくほど色が薄くなっている。左側の縦軸が、表示面７ａのｙ軸方向に対応し、横軸が、表示面７ａのｘ軸方向に対応する。右側の縦軸は、加算するスコア値を示し、数値が大きくなるほど色が濃くなっている。
【００９２】
まず、図１５のグラフにおいて、前回のポインタ探索処理で最も高いスコア値が検出された検索座標を（０，０）の座標位置とする。左側の縦軸の値を、前回のポインタ探索処理で最も高いスコア値が検出された検索座標と、現在の検索座標とのｙ軸方向における差分とし、横軸の値を、前回のポインタ探索処理で最も高いスコア値が検出された検索座標と、現在の検索座標とのｘ軸方向における差分として、前回のポインタ探索処理で最も高いスコア値が検出された検索座標に対する、現在の検索座標の相対位置をあてはめる。
【００９３】
右側の縦軸において、図１５のグラフにあてはめた現在の検索座標の座標位置の色と同じ色に対応する値を、ステップＳ２０ｄで算出したドット数Ｃにスコア値として加算する。
【００９４】
このときに加算するスコア値は、現在の検索座標が、前回のポインタ探索処理で最も高いスコア値が検出された検索座標（以下「最高スコア値検索座標」と記載する）の座標位置と近いほど、スコア値が高くなるようにする。
【００９５】
ポインタ画像１１は、ユーザによって連続的に操作されて、表示処理の間は、ほとんど連続的に移動している。また、ポインタ探索処理が行われる間隔は短いので、ポインタ画像は、前回のポインタ探索処理で検出された表示位置の比較的近くで表示されている可能性が高い。
【００９６】
現在の検索座標が、前回の最高スコア値検索座標と近いほどに、加算するスコア値を大きくすることによって、一旦、表示位置を正確に検出したポインタ画像１１の表示位置を、以降のポインタ探索処理でも、正確に検出しつづける可能性を高くすることができる。
【００９７】
また、現在の検索座標が、前回の最高スコア値検索座標と同じ場合、スコア値を下げる。
【００９８】
前述のように、一旦ポインタ画像１１の表示位置を正確に検出した後は、以降のポインタ探索処理でも、ポインタ画像１１の表示位置を正確に検出しつづけることができるが、たとえば、ポインタ画像１１とまったく同じ絵柄の静止画像を含む画像が表示されている表示面７ａにおいて、初めてポインタ画像の表示位置を検出する場合には、ポインタ画像１１の表示位置を正確に検出できないおそれがある。
【００９９】
しかしながら、ポインタ画像１１は、表示処理の間は、ほとんど連続的に移動しているので、現在の検索座標が、前回の最高スコア値検索座標の座標位置と同じである場合、スコア値を下げることによって、ポインタ画像１１と同じまたはよく似た絵柄の静止画像を誤検出するおそれを低下させることができる。
【０１００】
ステップＳ２０ｆでは、映像信号解析部３が、ドット数Ｃが閾値以上か否か判断する。ドット数Ｃが閾値以上であれば、ステップＳ２０ｇに進む。ドット数Ｃが閾値以上でなければ、ステップＳ２０ｈに進む。
【０１０１】
ステップＳ２０ｇでは、映像信号解析部３が、ドット数Ｃをスコア値として記憶部９に記憶する。また、そのときの検索座標も記憶部９に記憶する。このスコア値よりも高いスコア値が検出された場合には、その新しいスコア値を、古いスコア値に代わって記憶するとともに、その新しいスコア値が検出された検索座標を記憶部９に記憶する。
【０１０２】
ステップＳ２０ｈでは、ｘ座標値およびｙ座標値が最大（ｎ，ｍ）であるか否か判断する。ｘ座標値およびｙ座標値が最大であれば、第２ポインタ探索処理の終了となる。この時点では、図１０において矢印で示す順番で、表示面７ａ全体にポインタの検索が行われたことになり、その結果、図１０に示す表示位置にポインタ画像１１が表示されていることが検出される。ｘ座標値およびｙ座標値が最大でなければ、ステップＳ２０ｉに進む。
【０１０３】
ステップＳ２０ｉでは、ｘ座標値が最大（ｎ）であるか否か判断する。ｘ座標値が最大であれば、ステップＳ２０ｊに進む。ｘ座標値が最大でなければ、ステップＳ２０ｋに進む。
【０１０４】
ステップＳ２０ｊでは、検索座標を、ｘ座標値が１であり、ｙ座標値が１大きい座標位置に変更する。その後、ステップＳ２０ａに戻り、変更した検索座標で、前述と同様の処理を行う。
【０１０５】
ステップＳ２０ｋでは、検索座標を、ｘ座標値が１つ大きい座標位置に変更する。その後、ステップＳ２０ａに戻り、変更した検索座標で、前述と同様の処理を行う。
【０１０６】
なお、本実施形態では、検索座標を、１画素ずつ移動させたが、テンプレート画像の長さ分だけ移動させてもよい。
【０１０７】
第２ポインタ探索処理が終了すると、図６に示すステップＳ２１に進む。
ステップＳ２１では、映像信号解析部３が、表示面７ａに表示されているポインタ画像１１において、その中心の座標位置であるポインタ中心座標Ｐｃを求める。映像信号解析部３は、記憶部９に記憶されているスコア値および検索座標（ａ２，ｂ２）を取得し、テンプレート画像（Ｗｔ，Ｈｔ）の大きさから、ポインタ中心座標Ｐ（ａ２＋Ｗｔ／２，ｂ２＋Ｈｔ／２）を算出する。
【０１０８】
ステップＳ２２では、映像信号解析部３が、ポインタ中心座標Ｐからポインタ中心座標Ｐｃまでの距離が、閾値Ｄ以下であるか否か判断する。閾値Ｄ以下であれば、ポインタ画像１１が連続的に移動していると判断し、ステップＳ２４に進む。閾値Ｄ以下でなければ、一定時間経過した後、ステップＳ１５に戻る。
【０１０９】
ステップＳ２４では、ポインタ中心座標Ｐｃを用いて、マップ生成部４が、目標輝度マップを生成する。目標輝度マップの生成手順については、図１１に示す方法と同様である。
【０１１０】
ステップＳ２５では、バックライト制御部６が、前述と同様にして、目標輝度マップに基づいて、ポインタ強調処理を行う。この結果、ポインタ画像１１が強調して表示される。
【０１１１】
ステップＳ２６では、映像信号解析部３が、強調保持追加キーが押されているか否か判断する。強調保持追加キーが押されていれば、ステップＳ２７に進み、ポインタ中心座標Ｐｃを記憶部９の保持領域に追加した後、ステップＳ１９に進む。強調保持追加キーが押されていなければ、ステップＳ２７に進むことなく、ステップＳ１９に進む。
【０１１２】
本フローチャートは、ＰＣ５０の電源がＯＦＦとなるか、またはユーザによって、ポインタ強調モードが無効となるまで継続される。
【０１１３】
このような表示処理において、仮に、ポインタ画像１１と同じ絵柄の静止画像を含む画像が表示面７ａに表示されている場合、以下のようなパターンでポインタ画像１１の表示位置を正確に検出することができる。
【０１１４】
ポインタ画像１１が静止していると、ポインタ画像１１を含む比較対象画像のスコア値と、静止画像を含む比較対象画像のスコア値とは等しくなるので、どちらの画像がポインタ画像１１として検出されるかは、予め設定された定義に基づいて、決定される。本実施形態では、スコア値が等しい場合、表示面７ａの左上に存在する画像が、ポインタ画像１１として検出される。そのため、この時点では、静止画像がポインタ画像１１として検出されるおそれがある。
【０１１５】
その後、ポインタ画像１１が移動すると、次のポインタ探索処理で、ポインタ画像１１を含む比較対象画像のスコア値が、静止画像を含む比較対象画像のスコア値を上回るので、ポインタ画像１１の表示位置が正確に検出される。
【０１１６】
ポインタ画像１１は移動しつづけ、さらに、前回検出されたポインタ画像１１の表示位置の近くで表示位置が検出されるので、静止画像を含む比較対象画像よりもスコア値が高くなる。
【０１１７】
ポインタ画像１１が静止したとしても、前回検出されたポインタ画像１１の表示位置の近くで表示位置が検出されるので、静止画像を含む比較対象画像よりもスコア値が高くなる。
【０１１８】
以上のようにして、ポインタ画像１１の表示位置を正確に検出し続けることができ、ポインタ画像１１を強調して表示し続けることができる。
【０１１９】
第１ポインタ探索処理と同時に、ポインタ存在領域１３の輪郭を強調するエッジ強調処理を行ってもよい。また、第２ポインタ探索処理と同時に、エッジ強調処理を行ってもよい。エッジ強調処理は、映像加工部５ａが、目標輝度マップに基づいて、表示面７ａに表示されている画像の輝度を調整することで行う。これによって、表示面７ａにおいて、ポインタ存在領域１３の輪郭がぼやけて表示されることを抑制でき、ポインタ画像１１をより明確に強調させることができる。
【０１２０】
また、本実施形態では、表示面７ａにおけるポインタ画像１１の表示位置は、映像信号解析部３によって検出されたが、キーボードなどの入力手段によって、表示面７ａにおけるポインタ画像１１の表示位置が入力され、その入力された表示位置に基づいて、ポインタ強調処理が行われてもよい。
【符号の説明】
【０１２１】
１  映像信号入力部
２  映像信号加工部
３  映像信号解析部
４  マップ生成部
５  表示制御部
６  バックライト制御部
７  表示部
８  バックライト装置
９  記憶部
５０  ＰＣ
１００  表示装置
【図１】
0005877076.tif 000002
【図２】
0005877076.tif 000003
【図５】
0005877076.tif 000004
【図６】
0005877076.tif 000005
【図７Ａ】
0005877076.tif 000006
【図７Ｂ】
0005877076.tif 000007
【図９】
0005877076.tif 000008
【図１４】
0005877076.tif 000009
【図３】
0005877076.tif 000010
【図４】
0005877076.tif 000011
【図８】
0005877076.tif 000012
【図１０】
0005877076.tif 000013
【図１１】
0005877076.tif 000014
【図１２】
0005877076.tif 000015
【図１３】
0005877076.tif 000016
【図１５】
0005877076.tif 000017